(57)【特許請求の範囲】
【請求項１】
遊技球を貯留し得る球受皿が前方へ突出するように設けられた遊技機において、該球受皿の下側に支軸を水平に支持し、該支軸に支脚を起伏自在に設け、該支脚を下向きに回転させ該球受皿の下部空間へ突出させることにより、床面に載置された前記遊技機の前方への転倒が防止されるようにしたことを特徴とする自立装置を備えた遊技機。
【請求項２】
前記支脚は、球受皿の下部空間への突出長が長い第１支脚と、該下部空間への突出長が短い第２支脚とからなることを特徴とする請求項１に記載した自立装置を備えた遊技機。
【発明の詳細な説明】
【技術分野】
【０００１】
本発明は、パチンコ，アレンジボール，雀球等の遊技球が転動可能な遊技領域を有する遊技板を備えた遊技機に関し、特には、床面に転倒することなく載置できるようにするための自立装置を備えた遊技機に関するものである。
【背景技術】
【０００２】
一般にパチンコ遊技機等の弾球遊技機は、縦長の四角形枠状の機枠（外枠）の一側縁に遊技機本体が開閉可能にヒンジされ、該遊技機本体にはさらに透明板保持枠（ガラス枠）が開閉可能にヒンジされている。そして、近時はデザイン性の観点から該透明板保持枠の両側縁や上縁部を前方に大きく張り出させ、その張出部に多数の電飾装置やスピーカを設け、遊技状況に応じて該電飾装置を作動させることで煌びやかな演出がされるようにしている。このため遊技機の前側が後側よりも重くなる傾向にあり、例えば、遊技場に新しい遊技機を設置するに際して、該遊技機を遊技場の床面に一時的に置く際に該遊技機が前方に倒れ易いといった問題がある。そして倒れた際の衝撃により遊技機の前面が破損されてしまうおそれがあった。また、透明板保持枠を開くと重心がいっそう前方に移動するため、より前方に倒れ易くなる。このため、不安定な状態で遊技機を保持しながら点検・整備等の作業をしなければならないという問題があった。
【０００３】
一方、下記特許文献１には、転倒防止用脚を機枠の左右の側板に後方へ回動自在なるようにヒンジした遊技機が示され、該遊技機では該転倒防止用脚を後方に最大回転角度まで回動することで後方への転倒を防止できるようにしている。
また、特許文献２には、遊技機の機枠内底部に水平面内で後方へ回転可能なるように支持脚を設け、該支持脚を後方に回転させた後に該支持脚の先端を床面に接地し得るように下方にスライドすることで、遊技機の後方への転倒を防止し得る自立補助具が示されている。
【先行技術文献】
【特許文献】
【０００４】
【特許文献１】特開２００７−７５４５４号公報
【特許文献２】特開２００８−２４５８４７号公報
【発明の概要】
【発明が解決しようとする課題】
【０００５】
ところで、パチンコ遊技機の機枠は一般に縦長であり高い位置に重心があるため、こうした遊技機を特許文献１に示されたような転倒防止用脚で支えようとすると、安全性の観点からできるだけ上方（高い位置）にヒンジ部を設けなければならず、しかも、パチンコ遊技機は遊技場島台に多数を隙間なく配置するものであることから、該ヒンジ部は配置の邪魔にならないように機枠の内側に設けなければならない。しかしそうすると、該転倒防止用脚が液晶表示装置や遊技制御装置などを含む大きな遊技盤ユニットを設けるための重要なスペースを邪魔するといった問題がある。また、仮にこのような転倒防止用脚を遊技機の前側に設けたとすると、遊技者に無用に操作されるおそれや、美観を損なうおそれがある。
【０００６】
また、特許文献２に示された自立補助具についても、遊技機の前側に設けた場合に、遊技者に無用に操作されるおそれがあるとともに、美観が損なわれるといった問題がある。なお、特許文献２に示された自立補助具では、鉛直に設けられた回転支持軸に支持脚が水平面内で回転可能に設けられており、該支持脚および該回転支持軸に対して偏荷重が掛かるので、該支持脚や回転支持軸は遊技機全体の荷重を支える頑強で十分な強度を持つものにしなければならず、そのために製造コストが掛かるとともに遊技機全体が重くなってしまうという問題がある。
【課題を解決するための手段】
【０００７】
本発明に係る自立装置を備えた遊技機は上記問題点を解決しようとするもので、遊技球を貯留し得る球受皿が前方へ突出するように設けられた遊技機において、該球受皿の下部空間に出没自在なるように支脚を設け、該支脚を前記下部空間に介在させ、前記球受皿と前記支脚とで、床面に載置された前記遊技機の前方への転倒が防止されるようにしたことを特徴とする。
このように、球受皿の下部空間と前方へ突出した球受皿を使用することにより、遊技機の美観を損なうことなく遊技機の自立装置とすることができた。
【０００８】
また、本発明は、上記遊技機であって、前記支脚は、前記球受皿の下側に水平に支持された支軸に起伏自在なるように設けられていることを特徴とする。
このように支脚を球受皿に設けることで、球受皿を前方へ突出させればさせるほど、遊技機から離れた位置にて遊技機を支持することができ、自立装置自体を大型化・重量化することなく低コストで遊技機を自立させることができる。
【０００９】
また、本発明は、上記遊技機であって、前記支脚は、球受皿の下部空間への突出長が長い第１支脚と、該下部空間への突出長が短い第２支脚とからなることを特徴とする。
このため、機枠を備えていて球受皿の下面と床面との間隔が長い遊技機でも、機枠を備えておらず球受皿の下面と床面との間隔が短い遊技機のいずれであっても傾倒防止ができる。
【００１０】
また、本発明は、上記遊技機であって、前記支脚を前記下部空間に突出してない状態に保持させる収納状態保持手段と、前記支脚を前記下部空間に突出した状態に保持させる突出状態保持手段とを備え、少なくとも前記収納状態保持手段の操作部は該遊技機の前面側に露呈しないように設けられていることを特徴とする。
このため、遊技機の前面から遊技者等が収納状態保持手段を操作することはできず、無用に支脚を突出させてしまうようなことがない。
【発明の効果】
【００１１】
本発明によれば、遊技機の美観が損なわれることなく、小型で軽量な遊技機の自立装置を低コストで提供することができる。
【図面の簡単な説明】
【００１２】
【図１】本発明に係る遊技機の前面の外観斜視図。
【図２】本発明に係る遊技機の要部の背面図。
【図３】本発明に係る遊技機の底面図。
【図４】本発明に係る自立装置の斜視図。
【図５】本発明に係る自立装置の水平断面図。
【図６】図５のＡ−Ａ線断面図。
【図７】図５のＢ−Ｂ線断面図。
【図８】図５のＣ−Ｃ線断面図。
【図９】本発明に係る自立装置の分解斜視図。
【図１０】本発明に係る自立装置のケース下面の斜視図。
【図１１】本発明に係る自立装置の要部の斜視図。
【図１２】本発明に係る自立装置の要部の作動状態を示す斜視図。
【図１３】本発明に係る自立装置の要部の作動状態を示す斜視図。
【図１４】本発明に係る自立装置の作動状態を示す遊技機の要部の外観斜視図。
【図１５】本発明に係る自立装置の作動状態を示す遊技機の要部の側面図。
【図１６】本発明に係る自立装置の作動状態を示す遊技機の要部の外観斜視図。
【図１７】本発明に係る自立装置の作動状態を示す遊技機の要部の側面図。
【図１８】本発明の他の実施形態を示す遊技機の要部の側面図。
【図１９】本発明の他の実施形態を示す遊技機の要部の側面図。
【図２０】本発明の他の実施形態を示す遊技機の要部の正面図。
【図２１】本発明の他の実施形態を示す遊技機の要部の正面図。
【図２２】本発明の他の実施形態を示す遊技機の要部の斜視図。
【図２３】本発明の他の実施形態を示す遊技機の要部の側面図。
【図２４】本発明の他の実施形態を示す遊技機の要部の斜視図。
【図２５】本発明の他の実施形態を示す遊技機の要部の斜視図。
【図２６】本発明の他の実施形態を示す遊技機の要部の斜視図。
【図２７】本発明の他の実施形態を示す遊技機の要部の縦断面図。
【図２８】本発明の他の実施形態を示す遊技機の要部の正面図。
【図２９】本発明の他の実施形態を示す遊技機の要部の縦断面図。
【発明を実施するための形態】
【００１３】
次に本発明の実施形態を図面に従い説明する。図１〜図３に示すように、この遊技機（パチンコ遊技機）１は、パチンコホールの島設備に固設される縦長方形枠状の機枠２の下縁部前面に定幅板状の幕板３が固設され、該機枠２の一側縁に軸受体４ａ，４ｂが突設され、該軸受体４ａ，４ｂによって遊技機本体枠５が開閉可能にヒンジされ、該遊技機本体枠５に組付け固定された遊技板６の前面に透明板保持枠７が開閉可能に設けられ、該透明板保持枠７の両側縁および上縁に前方に大きく張り出す張出部８が形成され、該張出部８に電飾装置９やスピーカ１０等が設けられているとともに、該透明板保持枠７の下部に球受皿１１が前面に前方へ突出するように設けられ、該球受皿１１の隣には打球発射用ハンドル１２が同じく前方へ突出するように設けられる。なお、この実施形態で示した球受皿１１は、賞球出口１３から排出された遊技球を貯留するとともに、該遊技球を打球発射装置１５に供給する機能を有する。また、該球受皿１１の底部に、該球受皿１１に溜まった遊技球を下方に排出できるようにするために排出孔（図示されず）、および、該排出孔を開閉するシャッター板（図示されず）が設けられ、該球受皿１１の前縁に設けられた摘子１４を左右にスライド操作することにより、該シャッター板がスライドして該排出孔を開閉させ、該球受皿１１内に貯留された遊技球を適宜該排出孔から樹脂製の球受貯留箱（図示せず）等に移し変えられるようにしている。なお、球受皿１１の前面には種々の遊技操作ボタン１６が設けられている。
【００１４】
次に本発明に係る自立装置２０を説明する。この実施形態で示した自立装置２０は、前記球受皿１１の下側に設けられるもので、後に詳しく説明するように、全長が長い第１支脚２０ａと、全長が短い第２支脚２０ｂとがそれぞれ前記球受皿１１の下側から該球受皿１１の下部空間２１に突出し得るように設けられる。該第１支脚２０ａは前記機枠２を備えた遊技機１が前方に転倒するのを防ぐために使用され、第２支脚２０ｂは前記機枠２を備えていない（遊技機本体枠５のみの）状態のものが前方に転倒するのを防ぐために使用される。
【００１５】
次にこの自立装置２０の構成を図４〜図１７に従い詳しく説明する。この自立装置２０は、前記球受皿１１の下側に少し間隔を離して水平に固定される組付基板２２と、該組付基板２２の下側に組付けられる第１支脚２０ａおよび第２支脚２０ｂと、前記第１支脚２０ａおよび前記第２支脚２０ｂを下部空間２１に突出してない状態に保持させるために該組付基板２２の上側に組み付けられる収納状態保持手段２３と、前記第１支脚２０ａおよび前記第２支脚２０ｂを下部空間２１に突出した状態に保持させるため該組付基板２２の上側に組み付けられる突出状態保持手段２４と、該収納状態保持手段２３および突出状態保持手段２４を収容するために該組付基板２２の上に被せられるケース体２６とからなる。組付基板２２は鋼板をプレス加工して後側辺に折曲板縁２７を形成し、該折曲板縁２７に一対の透孔２８ａ，２８ｂを開設し、該折曲板縁２７を遊技機本体枠５に固着することで球受皿１１の下側に水平に固定し得るようにしている。また、該組付基板２２の前記球受皿１１の排出孔と一致する位置に丸い貫通孔３０を開設し、該貫通孔３０の近くに二つの角孔３１ａ，３１ｂを開設し、該組付基板２２の上面には起立片３３ａ，３３ｂをプレス成形し、該組付基板２２の下面には軸受片３５，３６をプレス成形する。なお、３７は該組付基板２２の上面に固着された軸受体である。そして、前記軸受片３５，３６に支軸３８の両端部を貫挿することにより、該支軸３８を該組付基板２２の下面に支持する。
【００１６】
第１支脚２０ａは、前記貫通孔３０と一致し得る貫通孔４０が開設され、一辺に軸受部４１，４２が形成され、該軸受部４１，４２間に切込４３が形成された略三角形状の鋼板からなる。また、該第１支脚２０ａの一部にＺ字状に折り曲げられた収納状保持係合部４４を形成するとともに、該第１支脚２０ａの他の一部に前記軸受部４１，４２の延長線上より突出する突出状保持係合部４５を形成している。該第１支脚２０ａは、軸受部４１，４２に前記支軸３８を貫挿することにより組付基板２２の下面に回転自在（起伏自在）に支持され、該支軸３８の外周に装着した巻バネ４６ａの一端を該第１支脚２０ａに当接することにより、該第１支脚２０ａは常には下向きに回転（起立）するよう付勢されている。
【００１７】
一方、第２支脚２０ｂは、前記切込４３に収まり得るような小さめの鋼板に軸受部４７，４８をプレス成形するとともに、一部にＺ字状に折り曲げられた収納状保持係合部４９を形成し、他の一部に軸受部４７，４８の延長線上より突出する突出状保持係合部５０を形成してなる。そして、該第２支脚２２についても前記軸受部４７，４８に前記支軸３８を貫挿することにより組付基板２２の下面に回転自在（起伏自在）に支持され、該支軸３８の外周に装着した巻バネ４６ｂの弾性により、該第２支脚２０ｂは常には下向きに回転（起立）するよう付勢されている。
【００１８】
収納状態保持手段２３は、第１支脚２０ａの前記収納状保持係合部４４に係脱する第１係合部材５３ａと、第２支脚２０ｂの前記収納状保持係合部４９に係脱する第２係合部材５３ｂとからなる。第１係合部材５３ａは、長方形板状体５４ａの略中間部に係合孔５８ａを形成するとともに、一端部に丸棒状部５５ａを形成し、該丸棒状部５５ａの外周にコイル状バネ５７ａを設け、他端部には丸棒状の操作部５６ａを形成する。また、第２係合部材５３ｂは、前記長方形板状体５４ａより少し長手の長方形板状体５４ｂの略中間部に係合孔５８ｂを形成するとともに、一端部に丸棒状部５５ｂを形成し、該丸棒状部５５ｂの外周にコイル状バネ５７ｂを設け、他端部には丸棒状の操作部５６ｂを形成する。そして、係合孔５８ａに前記収納状保持係合部４４を係合させ、コイル状バネ５７ａの弾性によってその係合状態が維持されるように該第１係合部材５３ａが付勢され、第１支脚２０ａを図１１に示したような収納状態に保持する。また、前記係合孔５８ｂに前記収納状保持係合部４９を係合させ、コイル状バネ５７ｂの弾性によってその係合状態が維持されるように該第２係合部材５３ｂを付勢することにより、該第２支脚２０ｂも同様に収納状態に保持されるようにしている。なお、前記操作部５６ａは前記透孔２８ａを貫通して該透孔２８ａから後方に突出し、前記操作部５６ｂは前記透孔２８ｂを貫通して該透孔２８ｂから後方に突出する。
【００１９】
また、突出状態保持手段２４は、略長方形板状の進退動片６０の一端に丸棒状部６１を形成し、該丸棒状部６１の外周にコイル状バネ６２を設け、該進退動片６０の他端に前記第１支脚２０ａの前記突出状保持係合部４５に係合し得るクサビ状の第１係合部６３ａを形成し、該進退動片６０の略中間部に前記第２支脚２０ｂの前記突出状保持係合部５０に係合し得るクサビ状の第２係合部６３ｂを形成するとともに、操作杆６５を該進退動片６０と平行状であって進退動可能に設けている。該操作杆６５と該進退動片６０とはリンク片６７により連結され、該リンク片６７は略中間部に短軸６８を貫挿し、該短軸６８を前記軸受体３７に軸支し、該リンク片６７の両端部に形成された長孔に該操作杆６５に形成された突軸６９と該進退動片６０に形成された突軸７０をそれぞれ遊嵌している。なお、該操作杆６５の先端に丸棒状の操作部７１を形成している。
【００２０】
前記ケース体２６は、図１０に示したように、前記第１係合部材５３ａを進退自在に収容し得る長方形状の区画室７３ａと、前記第２係合部材５３ｂを進退自在に収容し得る長方形状の区画室７３ｂと、前記進退動片６０を進退自在に収容し得る長方形状の区画室７４と、前記操作杆６５を進退自在に収容し得る長方形状の区画室７５が形成され、該ケース体２６を組付基板２２の上面に覆い被せ、前記コイル状バネ５７ａ，５７ｂおよびコイル状バネ６２をそれぞれ該各区画室内に収容することで、前記第１係合部材５３ａ，５３ｂ、進退動片６０、操作杆６５をそれぞれ独立して進退動可能にしているとともに、該第１係合部材５３ａ，５３ｂおよび進退動片６０が該コイル状バネ５７ａ，５７ｂおよびコイル状バネ６２によってそれぞれ図５に示す矢印の方向に付勢されるようにしている。なお、該ケース体２６にも前記貫通孔３０と一致する貫通孔７８が形成される。また、該ケース体２６の後側壁面に前記操作部５６ａが貫通する透孔８０ａ、および前記操作部５６ｂが貫通する透孔８０ｂが形成され、該操作部５６ａ，５６ｂは図２に示されるように該遊技機１の背面に露呈する。また該ケース体２６の前側壁面に操作部７１が貫通する透孔８１が形成され、該透孔８１を貫通した操作部７１は該ケース体２６の前側壁面に露呈する。
【００２１】
このため、該遊技機１の背面から前記操作部５６ａを押圧し、第１係合部材５３ａをコイル状バネ５７ａの弾性に抗して摺動させると、係合孔５８ａと収納状保持係合部４４との係合が外れ、図１２に示したように第１支脚２０ａは巻バネ４６ａの弾性により下向きに回転し、図１４，図１５に示したように下部空間２１に突出する。そのとき前記突出状保持係合部４５がクサビ状の第１係合部６３ａを押圧し、該進退動片６０をコイル状バネ６２の弾性に抗して一時的に後退させ、該第１係合部６３ａに係合することで、該第１支脚２０ａは下部空間２１に突出状態（起立状態）に保持され、これによって該第１支脚２０ａの先端部が床面８５に当接し得ることから、該遊技機１の前方への傾倒が防止される。なお、該遊技機１の前面から前記操作部７１を押圧操作することによっては、リンク片６７を介して進退動片６０が退動し、突出状保持係合部４５と第１係合部６３ａとの係合が外れるので、該第１支脚２０ａを手で上方に回転させれば、係合孔５８ａと収納状保持係合部４４とが再び係合し、該第１支脚２０ａが元のように収納状態に保持される。
【００２２】
また、前記機枠２を備えていない（遊技機本体枠５のみの）状態の遊技機１では、その背面から前記操作部５６ｂを押圧し、第２係合部材５３ｂをコイル状バネ５７ｂの弾性に抗して摺動させると、図１３に示したように係合孔５８ｂと収納状保持係合部４９との係合が外れ、第２支脚２０ｂは巻バネ４６ｂの弾性により下向きに回転し、図１６、図１７に示したように、下部空間２１に突出する。そのとき前記突出状保持係合部５０がクサビ状の第２係合部６３ｂを押圧し、該進退動片６０をコイル状バネ６２の弾性に抗して一時的に後退させ、該第２係合部６３ｂに係合することで、該第２支脚２０ｂは下部空間２１に突出状態（起立状態）に保持され、該第２支脚２０ｂの先端部が床面８５に当接することから、該機枠２を備えていない遊技機本体枠５であっても前方への傾倒が防止される。また、該遊技機１の前面から前記操作部７１を押圧操作することにより、リンク片６７を介して進退動片６０が退動し突出状保持係合部５０と第２係合部６３ｂとの係合が外れるため、該第２支脚２０ｂを手で上方に回転させれば、係合孔５８ｂと収納状保持係合部４９とが再び係合し、該第２支脚２０ｂについても前記第１支脚２０ａと同様に元の収納状態に保持される。
【００２３】
なお、収納状態保持手段２３の操作部５６ａ，５６ｂは、図２に示したように遊技機１の背面に露呈しており、遊技機１の前面には露呈していないので、背面から操作できるだけであって、遊技機１の前面からは操作できない。このため遊技機１が遊技場に設置された後に遊技者等が該操作部５６ａ，５６ｂに触れることはできず、無用に収納状態が解除され第１支脚２０ａまたは第２支脚２０ｂが下部空間２１に突出してしまうようなことがない。また、突出状態保持手段２４の操作部７１は、遊技機１の前面に露呈していることから何時でも遊技者が操作することができるが、たとえ遊技者が操作したとしても、操作杆６５がリンク片６７を介して進退動片６０を進退動させるだけであって、第１支脚２０ａおよび第２支脚２０ｂは上記のように収納状態に維持されたままで変化しないことから、第１支脚２０ａや第２支脚２０ｂが無用に突出することなく、何ら支障が生じない。
【００２４】
また、この実施形態に示した自立装置は、球受皿１１の下側に嵩張ることなく省スペースに設けられるとともに遊技機の美観を損なうことがない。また、支軸３８は球受皿１１の下側にて水平に支持されているので、第１支脚２０ａや第２支脚２０ｂによって遊技機１が支えられる際に、該支軸３８や該第１支脚２０ａ，第２支脚２０ｂ等に偏荷重が掛かることなく、遊技機１の荷重を支え得る強度を得易いので、該支軸３８や該第１支脚２０ａ，第２支脚２０ｂ等を小型・軽量に構成することができる。このためこうした自立装置を低コストで装備することが可能となる。
【００２５】
なお、組付基板２２に貫通孔３０が形成され、ケース体２６に貫通孔７８が形成され、第１支脚２０ａに貫通孔４０が形成されていることから、遊技者が摘子１４を操作した際に、球受皿１１に溜まった遊技球はこれらの貫通孔を通過して排出される。このため、このように球受皿１１の下側に自立装置２０を設けても、球受皿１１内の遊技球を遊技者が球受貯留箱等に移し変える際に支障が生じることはない。
【００２６】
また、この実施形態で示した遊技機１の球受皿１１は、賞球出口１３から排出された遊技球を貯留する機能と該遊技球を打球発射装置に供給する機能とを一つに兼ね備えたものを説明したが、それぞれの機能を有する２つの球受皿を上下段に設けた遊技機にこの自立装置を設けることもできる。
なお、この実施形態にあっては、球受皿１１を透明板保持枠７に一体に設けたものを示したが、遊技機本体枠５に対して球受皿１１と透明板保持枠７とを別々にヒンジし、各々を開閉するようにした遊技機であっても実施可能である。
また、以上では遊技機を遊技場の島台に設置するために該遊技機を一時的に床面に仮置きする場合を例に説明したが、遊技機を床面に載置して、点検・整備等する際にもこの自立装置を使用することで転倒を防止できる。また、言うまでもないが、遊技機を載置する床面は地面であってもよい。
【００２７】
次に、本発明に係る遊技機の他の実施形態を説明する。図１８，図１９に示した実施形態は、球受皿１１の前縁部の下面に軸受部（図示しない）を突設し、該軸受部により支軸８６の両端部を支持することで、遊技機前面と平行で水平なる支軸８６を設け、一側縁に拡厚部８７が形成された方形板状の支脚８８を該支軸８６に約９０度の回転範囲で起伏自在なるように設け、該支脚８８を図１８に示したように球受皿１１の下部空間２１にて垂直起立状態にしたり、図１９に示したように球受皿１１の下部空間２１にて後方折畳状態に変位できるようにしたものである。このため、図１８に示した垂直起立状態に突出させたときは、機枠２を備えた遊技機１の幕板３の高さが該支脚８８によって補われ、該支脚８８の先端が床面に達することで、該遊技機１の前方への傾倒が防止される。また、機枠２を備えていない遊技機本体枠５のみの遊技機では図１９に示したように前記拡厚部８７が床面に当接し該遊技機の前方への傾倒が防止される。
【００２８】
なお、図２０および図２１に示した実施形態は、支軸８６を球受皿１１の下面であって遊技機前面と直交し水平なるように支持し、該支軸８６に支脚８８を回転可能に枢着した構造であり、こうすることでも同様にその態様に合わせて支脚８８を回転させることにより、機枠付きの遊技機、および機枠無しの遊技機の傾倒を防止することができる。
また、これらの実施形態では一つの支脚によって機枠２を備えた遊技機と備えてない遊技機の傾倒防止ができるようにしたが、このような支脚を二つ以上設けることもできる。また、球受皿１１の下側に機枠２を備えた遊技機用の支脚と、機枠２を備えてない遊技機用の支脚とをそれぞれ設けるようにしてもよい。
【００２９】
また、図２２，図２３に示した実施形態は、球受皿１１の前縁部の下面に複数の筒状部材を連結することにより伸縮可能なるように構成された支脚９０を設けたもので、該支脚９０を伸張して下部空間２１に突出させ、該支脚９０の先端を床面に当接させることで、遊技機１の転倒が防止される。また、支脚９０を収縮させた状態では機枠２を備えてない遊技機の転倒を防止し得る。
【００３０】
また、図２４〜図２６に示した実施形態は、機枠２の幕板３の前面に軸支部９４を鉛直に設けて板状支脚９１を水平面内で回転自在なるように支持し、該板状支脚９１に上辺部に支軸９２を介在させることにより該板状支脚９１に対して蝶番状に回転可能なるように板状支脚９３を設け、該板状支脚９１，９３を図２５に示したように球受皿１１の下部空間２１に突出させたうえで一方の板状支脚９３を図２６に示したように上方に回転し、該板状支脚９３の先端を該球受皿１１の下面に当接させるとともに、板状支脚９１を床面に当接させることにより、遊技機１の前方への傾倒が防止されるようにしたものである。
【００３１】
また、図２７〜図２９に示した実施形態は、遊技機本体枠５の下縁部に前後方向に長い水平溝部９５ａと該水平溝部９５ａの後端部に上下方向に長い垂直溝部９５ｂとが連設されたガイド部材９５を固設するとともに、板状部９６ａと板状部９６ｂとが直角に連設された側面Ｌ字形の支脚９６を形成し、該支脚９６の一端部に支軸９７を設け、該支軸９７の両端部をガイド部材９５の前記溝中にスライド可能なるように遊嵌してなる。該支脚９６は、図２７，図２８に使用状態を示したように、支軸９７の両端部を前記ガイド部材の水平溝部９５ａの前端部に位置させた状態で一方の板状部９６ａを球受皿１１の下面に当接させて他方の板状部９６ｂを床面８５に対して垂直に起立させ、該板状部９６ｂを球受皿１１の下部空間に突出させることで、遊技機の前方への傾倒が防止されるようにしている。なお、該支脚９６を遊技機本体枠５の裏側に収納するに際しては、支軸９７を水平溝部９５ａに沿って後方に移動させるとともに、遊技機本体枠５を前方に開いて該遊技機本体枠５の下縁部を幕板３から少し離間させ、その隙間（図示せず）から該支脚９６を遊技機本体枠５の裏側へ回転させ、該支軸９７を前記垂直溝部９５ｂに沿ってさらに上方に移動させてから該遊技機本体枠５を閉じる。これにより、機枠２の幕板３が障害となることなく、必要に応じて支脚９６を球受皿１１の下部空間２１に突出状態にしたり、図２９に示したように遊技機本体枠５の裏側に収納することができる。
また、このような構成を採用することにより、該支脚９６を球受皿１１の内部空間まで回転させて収納することが可能となるので、遊技機を正面視した際の美観を損なうことがないとともに、該支脚９６が遊技者によって無用に操作されることも無くなる。
【００３２】
また、図示しないが、幕板３の一部に前後方向に貫通する例えばスリット状の貫通孔を形成し、該貫通孔を通して支脚を球受皿１１の下部空間２１に出没し得るように構成してもよい。
このように、本発明では、これらの実施形態に示した支脚に限らず種々の形状・構造の支脚を球受皿の下部空間に出没自在なるように設けることができる。
【００３３】
以上説明したように本発明に係る自立装置を備えた遊技機は、例えば遊技場に設置するため該遊技場の床面に起立状態で仮置きするに際し、支脚を球受皿の下部空間に突出させることにより、該遊技機の前方への傾倒を確実に防止することができる。また、該支脚は使用後に収納状態に戻しておくことで、遊技に支障がないようにできる。また、球受皿の下部空間を利用したことにより、支脚を遊技機の美的な外観を損なうことなく設けることができる。
【符号の説明】
【００３４】
１                          遊技機
２                          機枠
３                          幕板
４ａ，４ｂ                  軸受体
５                          遊技機本体枠
６                          遊技板
７                          透明板保持枠
８                          張出部
９                          電飾装置
１０                        スピーカ
１１                        球受皿
１２                        打球発射用ハンドル
１３                        賞球出口
１４                        摘子
１５                        打球発射装置
１６                        遊技操作ボタン
２０                        自立装置
２０ａ                      第１支脚
２０ｂ                      第２支脚
２１                        下部空間
２２                        組付基板
２３                        収納状態保持手段
２４                        突出状態保持手段
２６                        ケース体
２７                        折曲板縁
２８ａ，２８ｂ              透孔
３０                        貫通孔
３１ａ，３１ｂ              角孔
３３ａ，３３ｂ              起立片
３５，３６                  軸受片
３７                        軸受体
３８                        支軸
４０                        貫通孔
４１，４２                  軸受部
４３                        切込
４４                        収納状保持係合部
４５                        突出状保持係合部
４６ａ，４６ｂ              巻バネ
４７，４８                  軸受部
４９                        収納状保持係合部
５０                        突出状保持係合部
５３ａ                      第１係合部材
５３ｂ                      第２係合部材
５４ａ，５４ｂ              長方形板状体
５５ａ，５５ｂ              丸棒状部
５６ａ，５６ｂ              操作部
５８ａ，５８ｂ              係合孔
５７ａ，５７ｂ              コイル状バネ
６０                        進退動片
６１                        丸棒状部
６２                        コイル状バネ
６３ａ                      第１係合部
６３ｂ                      第２係合部
６５                        操作杆
６７                        リンク片
６８                        短軸
６９，７０                  突軸
７１                        操作部
７３ａ，７３ｂ，７４，７５  区画室
７８                        貫通孔
８０ａ，８０ｂ，８１        透孔
８５                        床面
８６                        支軸
８７                        拡厚部
８８                        支脚
８９                        軸受部
９０                        支脚
９１，９３                  板状支脚
９２                        支軸
９４                        軸支部
９５                        ガイド部材
９５ａ                      水平溝部
９５ｂ                      垂直溝部
９６                        支脚
９６ａ，９６ｂ              板状部
９７                        支軸
【図１】
0006542042.tif 000002
【図２】
0006542042.tif 000003
【図３】
0006542042.tif 000004
【図４】
0006542042.tif 000005
【図５】
0006542042.tif 000006
【図６】
0006542042.tif 000007
【図７】
0006542042.tif 000008
【図８】
0006542042.tif 000009
【図９】
0006542042.tif 000010
【図１０】
0006542042.tif 000011
【図１１】
0006542042.tif 000012
【図１２】
0006542042.tif 000013
【図１３】
0006542042.tif 000014
【図１４】
0006542042.tif 000015
【図１５】
0006542042.tif 000016
【図１６】
0006542042.tif 000017
【図１７】
0006542042.tif 000018
【図１８】
0006542042.tif 000019
【図１９】
0006542042.tif 000020
【図２０】
0006542042.tif 000021
【図２１】
0006542042.tif 000022
【図２２】
0006542042.tif 000023
【図２３】
0006542042.tif 000024
【図２４】
0006542042.tif 000025
【図２５】
0006542042.tif 000026
【図２６】
0006542042.tif 000027
【図２７】
0006542042.tif 000028
【図２８】
0006542042.tif 000029
【図２９】
0006542042.tif 000030